(57)【特許請求の範囲】
【請求項１】
水平方向に配列された３つ以上の画素領域を含む基板と、
前記基板上の前記各画素領域に配置された第１電極と、
前記各画素領域を囲んで配置されたバンクと、
前記基板上の前記各画素領域の下方に水平方向に配置され、前記各画素領域に駆動電圧を供給する駆動電圧配線と、
前記基板上に水平方向に配置されたゲート配線と、
前記基板上の前記各画素領域間の境界部において、前記第１電極と離間して配置された補助電極と、
前記ゲート配線及び前記駆動電圧配線の上部に配置されたゲート絶縁膜と、
前記ゲート絶縁膜の上部に配置された平坦化層と、
を含み、
前記各画素領域間の境界部に配置された前記バンクは同幅を有し、
前記バンクは、
前記バンクの中央部分である第１部分と、
前記第１部分の両側から垂直方向へ延び、該第１部分よりも薄い第２部分と、
を含み、前記第１部分と前記第２部分とが段差構造を構成し、
前記補助電極は、前記平坦化層上に、且つ、前記第１電極と同層に形成されている、
有機発光ダイオード表示装置。
【請求項２】
前記駆動電圧は、前記駆動電圧配線の両端からそれぞれ供給される、請求項１に記載の有機発光ダイオード表示装置。
【請求項３】
前記ゲート配線と交差して配置されたデータ配線をさらに含み、
前記駆動電圧配線は、前記ゲート配線と同じ層に同じ物質から形成されている、請求項１に記載の有機発光ダイオード表示装置。
【請求項４】
前記駆動電圧配線は、前記補助電極に電気的に接続されている、請求項１に記載の有機発光ダイオード表示装置。
【請求項５】
前記データ配線は、前記ゲート絶縁膜と前記平坦化層との間に配置され、前記第１電極は、前記平坦化層の上部に配置されている、請求項３に記載の有機発光ダイオード表示装置。
【請求項６】
前記ゲート絶縁膜と前記平坦化層は、前記駆動電圧配線の一部を露出するコンタクトホールを備え、前記駆動電圧配線は、前記コンタクトホールを介して前記補助電極に接続されている、請求項５に記載の有機発光ダイオード表示装置。
【請求項７】
前記第１電極の上部に配置された有機発光層をさらに含む、請求項１に記載の有機発光ダイオード表示装置。
【請求項８】
前記有機発光層は溶液工程により形成される、請求項７に記載の有機発光ダイオード表示装置。
【請求項９】
交差する複数のゲート配線及びデータ配線と、前記各ゲート配線と前記データ配線との交差点に水平方向に配置された３つ以上の画素領域とを含む基板と、
前記基板上の前記各画素領域に配置された第１電極と、
前記各画素領域を囲んで配置されたバンクと、
前記ゲート配線と平行に配置され、前記各画素領域に駆動電圧を供給する駆動電圧配線と、
前記基板上の前記各画素領域間の境界部において、前記第１電極と離間して配置された補助電極と、
前記ゲート配線及び前記駆動電圧配線の上部に配置されたゲート絶縁膜と、
前記ゲート絶縁膜の上部に配置された平坦化層と、
を含み、
前記各画素領域間の境界部に配置された前記バンクは同幅を有し、
前記バンクは、
前記バンクの中央部分である第１部分と、
前記第１部分の両側から垂直方向へ延び、該第１部分よりも薄い第２部分と、
を含み、前記第１部分と前記第２部分とが段差構造を構成し、
前記補助電極は、前記平坦化層上に、且つ、前記第１電極と同層に形成されている、
有機発光ダイオード表示装置。
【請求項１０】
前記駆動電圧は、前記駆動電圧配線の両端からそれぞれ供給される、請求項９に記載の有機発光ダイオード表示装置。
【請求項１１】
前記駆動電圧配線は、前記ゲート配線と同じ層に同じ物質から形成される、請求項９に記載の有機発光ダイオード表示装置。
【請求項１２】
前記駆動電圧配線は、前記補助電極に電気的に接続されている、請求項９に記載の有機発光ダイオード表示装置。
【請求項１３】
前記データ配線は、前記ゲート絶縁膜と前記平坦化層との間に配置され、前記第１電極は、前記平坦化層の上部に配置されている、請求項１２に記載の有機発光ダイオード表示装置。
【請求項１４】
前記ゲート絶縁膜と前記平坦化層は、前記駆動電圧配線の一部を露出するコンタクトホールを備え、前記駆動電圧配線は、前記コンタクトホールを介して前記補助電極に接続されている、請求項１３に記載の有機発光ダイオード表示装置。
【請求項１５】
前記第１電極の上部に配置された有機発光層をさらに含む、請求項９に記載の有機発光ダイオード表示装置。
【請求項１６】
前記有機発光層は溶液工程により形成される、請求項１５に記載の有機発光ダイオード表示装置。
【請求項１７】
各列ラインに沿って同じ色に発光する画素領域が配列された基板と、
前記基板上の前記各画素領域に配置された第１電極と、
前記列ラインに沿って隣接した複数の前記画素領域からなる単位グループを囲むバンクと、
前記単位グループの隣接画素領域の前記第１電極間において、前記第１電極の縁部を覆うように配置された絶縁パターンと、
前記第１電極上の前記各単位グループに配置された有機発光層と、
行ライン方向に沿って伸びるゲート配線と、
前記ゲート配線と平行に伸びる駆動電圧配線と、
前記基板上の前記各画素領域間の境界部において、前記第１電極と離間して配置された補助電極と、
前記ゲート配線及び前記駆動電圧配線の上部に配置されたゲート絶縁膜と、
前記ゲート絶縁膜の上部に配置された平坦化層と、
を含み、
前記行ラインに沿って配列された互いに異なる色の画素領域間の境界部にそれぞれ配置された前記バンクは同幅を有し、
前記バンクは、
前記バンクの中央部分である第１部分と、
前記第１部分の両側から垂直方向へ延び、該第１部分よりも薄い第２部分と、
を含み、前記第１部分と前記第２部分とが段差構造を構成し、
前記補助電極は、前記平坦化層上に、且つ、前記第１電極と同層に形成されている、
有機発光ダイオード表示装置。
【請求項１８】
前記列ライン方向に沿って伸びるデータ配線をさらに含む、請求項１７に記載の有機発光ダイオード表示装置。
【請求項１９】
前記補助電極は、前記駆動電圧配線に電気的に接続されている、請求項１８に記載の有機発光ダイオード表示装置。
【請求項２０】
前記有機発光層は溶液工程により形成される、請求項１７に記載の有機発光ダイオード表示装置。
【請求項２１】
各列ラインに沿って同じ色を発光する画素領域が配列された基板と、
前記基板上の前記各画素領域に配置された第１電極と、
前記列ラインに沿って隣接した画素領域間に位置し、第１部分、及び前記第１部分の両側に第２部分を含むバンクと、
前記第１電極及び前記第２部分の上に配置された有機発光層と、
行ライン方向に沿って伸びるゲート配線と、
前記ゲート配線と平行に伸びる駆動電圧配線と、
前記基板上の前記各画素領域間の境界部において、前記第１電極と離間して配置された補助電極と、
前記ゲート配線及び前記駆動電圧配線の上部に配置されたゲート絶縁膜と、
前記ゲート絶縁膜の上部に配置された平坦化層と、
を含み、
前記行ラインに沿って配列された互いに異なる色の画素領域間の境界部にそれぞれ配置された前記バンクは同幅を有し、
前記バンクは、
前記バンクの中央部分である前記第１部分と、
前記第１部分の両側から垂直方向へ延び、該第１部分よりも薄い前記第２部分と、
を含み、前記第１部分と前記第２部分とが段差構造を構成し、
前記補助電極は、前記平坦化層上に、且つ、前記第１電極と同層に形成されている、
有機発光ダイオード表示装置。
【請求項２２】
前記列ライン方向に沿って伸びるデータ配線をさらに含む、請求項２１に記載の有機発光ダイオード表示装置。
【請求項２３】
前記補助電極は、前記駆動電圧配線と電気的に接続されている、請求項２２に記載の有機発光ダイオード表示装置。
【請求項２４】
前記有機発光層は溶液工程により形成される、請求項２１に記載の有機発光ダイオード表示装置。
【発明の詳細な説明】
【技術分野】
【０００１】
本発明は、有機発光ダイオード表示装置に関するものであり、特に、有機発光層の厚さの均一性を向上できる有機発光ダイオード表示装置に関するものである。
【背景技術】
【０００２】
現在、プラズマ表示装置（Ｐｌａｓｍａ  Ｄｉｓｐｌａｙ  Ｐａｎｅｌ：ＰＤＰ）、液晶表示装置（Ｌｉｑｕｉｄ  Ｃｒｙｓｔａｌ  Ｄｉｓｐｌａｙ  ｄｅｖｉｃｅ：ＬＣＤ）、有機発光ダイオード表示装置（Ｏｒｇａｎｉｃ  Ｌｉｇｈｔ  Ｅｍｉｔｔｉｎｇ  Ｄｉｏｄｅ Ｄｉｓｐｌａｙ  ｄｅｖｉｃｅ：ＯＬＥＤ）といったフラットパネル表示装置が研究され、広く用いられている。
【０００３】
このようなフラットパネル表示装置のうち、有機発光ダイオード表示装置は、自発光素子であり、液晶表示装置に用いられるバックライトが不要であるため、軽量化及び薄型化が可能である。
【０００４】
また、液晶表示装置に比べて視野角及びコントラスト比に優れており、消費電力の面でも有利である上、直流低電圧で駆動が可能である。さらに応答速度が速く、内部の構成要素が固体であることから外部からの衝撃に強く、使用温度範囲も広いというメリットを有する。
【０００５】
特に、製造工程が単純であるため、生産原価を既存の液晶表示装置より大幅に低減できるというメリットがある。
【０００６】
図１は従来の有機発光ダイオード表示装置を示す平面図であり、図２Ａは図１のIIａ−IIａに沿って切断した断面図であり、図２Ｂは図１のIIｂ−IIｂに沿って切断した断面図である。
【０００７】
これら図面に示すように、従来の有機発光ダイオード表示装置は、水平方向に配列された第１〜第３画素領域Ｐ１〜Ｐ３を含む基板１１と、基板１１上に配置された平坦化層１７と、平坦化層１７の上部における第１〜第３画素領域Ｐ１〜Ｐ３にそれぞれ配置された第１電極２０と、第１電極２０の縁部を覆い、かつ平坦化層１７の上部における第１〜第３画素領域Ｐ１〜Ｐ３を囲んで配置されたバンク５０とを含む。
【０００８】
また、基板１１上の第１〜第３画素領域Ｐ１〜Ｐ３の間における第１及び第２境界部Ｂ１、Ｂ２にそれぞれ垂直方向に配置された駆動電圧配線１３及びデータ配線１５と、これら配線１３、１５に交差し、かつ第１〜第３画素領域Ｐ１〜Ｐ３の下方に配置されたゲート配線１４とをさらに含む。
【０００９】
また、ゲート絶縁膜１２は、ゲート配線１４を覆いながら基板１１上に配置され、平坦化層１７は、駆動電圧配線１３及びデータ配線１５を覆いながらゲート絶縁膜１２上に配置される。
【００１０】
一方、大面積の有機発光ダイオード表示装置を実現するためには、１本の駆動電圧配線１３を通じて複数の画素領域Ｐ１〜Ｐ３に駆動電圧を供給しなければならないため、駆動電圧が低下し、表示品質が劣化する。
【００１１】
このような駆動電圧の低下を防止するため、第１画素領域Ｐ１と第２画素領域Ｐ２との間における第１境界部Ｂ１の幅を、第２画素領域Ｐ２と第３画素領域Ｐ３との間における第２境界部Ｂ２の幅よりさらに広く形成して、第１画素領域Ｐ１と第２画素領域Ｐ２との間における第１境界部Ｂ１のゲート絶縁膜１２の上部に、垂直方向に駆動電圧配線１３を配置し、第２画素領域Ｐ２と第３画素領域Ｐ３との間における第２境界部Ｂ２のゲート絶縁膜１２の上部に、垂直方向にデータ配線１５を配置する。
【００１２】
それによって、第１画素領域Ｐ１と第２画素領域Ｐ２との間における第１境界部Ｂ１の幅に対応して駆動電圧配線１３の幅を広く形成することができるので、大面積の有機発光ダイオード表示装置を具現化しても駆動電圧の低下を最小化して表示品質の劣化を防止することができる。
【００１３】
そのとき、各画素領域Ｐ１〜Ｐ３の間における境界部Ｂ１、Ｂ２に形成されるバンク５０の幅も、第２画素領域Ｐ２と第３画素領域Ｐ３との間における第１境界部Ｂ１より、第１画素領域Ｐ１と第２画素領域Ｐ２との間における第２境界部Ｂ２においてさらに広く形成される。
【００１４】
一方、第１電極２０の上部には有機発光層７０ａ〜７０ｃが形成されるが、有機発光層７０ａ〜７０ｃは、インクジェットプリント方式（ｉｎｋｊｅｔ  ｐｒｉｎｔｉｎｇ）やノズルプリント方式（ｎｏｚｚｌｅ  ｐｒｉｎｔｉｎｇ）などを含む溶液工程（ｓｏｌｕｂｌｅ  ｐｒｏｃｅｓｓ）によって形成される。
【００１５】
具体的には、図２Ａ及び図２Ｂに示すように、各画素領域Ｐ１〜Ｐ３における第１電極２０の上部に有機発光物質の溶液（不図示）を滴下した後、その有機発光物質の溶液（不図示）を乾燥させて有機発光層７０ａ〜７０ｃを形成する。
【００１６】
そのとき、前述したように、バンク５０の幅は、第２画素領域Ｐ２と第３画素領域Ｐ３との間における第２境界部Ｂ２より、第１画素領域Ｐ１と第２画素領域Ｐ２との間における第１境界部Ｂ１においてさらに広い。
【００１７】
それによって、各画素領域Ｐ１〜Ｐ３に有機発光物質の溶液（不図示）を滴下した場合、第１画素領域Ｐ１と第２画素領域Ｐ２との間において第１境界部Ｂ１を介在して隣接する第１画素領域Ｐ１及び第２画素領域Ｐ２の一方の側にそれぞれ位置する有機発光物質の溶液（不図示）の溶媒分子の蒸発環境は、第２画素領域Ｐ２と第３画素領域Ｐ３との間において第２境界部Ｂ２を介在して隣接する第２画素領域Ｐ２及び第３画素領域Ｐ３の一方の側にそれぞれ位置する有機発光物質の溶液（不図示）の溶媒分子の蒸発環境と異なる。
【００１８】
すなわち、有機発光物質の溶液（不図示）の乾燥過程において、第１画素領域Ｐ１及び第２画素領域Ｐ２の一方の側にそれぞれ位置する有機発光物質の溶液（不図示）の溶媒分子の蒸発速度は、第２画素領域Ｐ２及び第３画素領域Ｐ３の一方の側にそれぞれ位置する有機発光物質の溶液（不図示）の溶媒分子の蒸発速度よりさらに速い。
【００１９】
その結果、有機発光物質の溶液（不図示）の乾燥過程が終わると、第３画素領域Ｐ３と異なって、第１画素領域Ｐ１及び第２画素領域Ｐ２に形成された有機発光層７０ａ、７０ｂの厚さは、第１画素領域Ｐ１と第２画素領域Ｐ２との間の第１境界部Ｂ１に隣接するほど厚くなる。
【００２０】
このように不均一な厚さで形成された有機発光層７０ａ〜７０ｃは、有機発光ダイオード表示装置の表示品質を劣化させ、有機発光ダイオードの発光効率及び寿命を低下させる。
【先行技術文献】
【特許文献】
【００２１】
【特許文献１】特開２０１６−００６５１６号公報
【発明の概要】
【発明が解決しようとする課題】
【００２２】
本発明は上記した問題を解決するためのものであって、有機発光層の厚さの均一性を向上させ、輝度の不均一を改善できる有機発光ダイオード表示装置を提供することをその目的とする。
【課題を解決するための手段】
【００２３】
前記の目的を達成するため、本発明は、水平方向に配列された３つ以上の画素領域を含む基板と、基板上の各画素領域に配置された第１電極と、各画素領域を囲んで配置されたバンクと、基板上の各画素領域の下方に水平方向に配置され、各画素領域に駆動電圧を供給する駆動電圧配線とを含む有機発光ダイオード表示装置を提供する。
【００２４】
そのとき、各画素領域の各境界部に配置されたバンクは、同幅を有する。
【００２５】
また、駆動電圧は、駆動電圧配線の両端からそれぞれ供給される。
【００２６】
また、基板上に水平方向に配置されたゲート配線と、ゲート配線と交差して配置されたデータ配線とをさらに含み、駆動電圧配線は、ゲート配線と同じ層に同じ物質から形成される。
【００２７】
また、基板上の各画素領域の境界部に、第１電極と離間して配置された補助電極をさらに含むが、そのとき、駆動電圧配線は補助電極と電気的に接続される。
【００２８】
また、第１電極の上部に配置された有機発光層をさらに含むが、そのとき、有機発光層は溶液工程により形成される。
【００２９】
他の側面によれば、本発明は、各列ラインに沿って同じ色を発光する画素領域が配列された基板と、基板上の各画素領域に配置された第１電極と、列ラインに沿って隣接する複数の画素領域から構成された単位グループを囲むバンクと、第１電極上の各単位グループに配置された有機発光層とを含む有機発光ダイオード表示装置を提供する。
【００３０】
さらに他の側面によれば、本発明は、各列ラインに沿って同じ色を発光する画素領域が配列された基板と、基板上の各画素領域に配置された第１電極と、列ラインに沿って隣接する複数の画素領域間に位置し、第１部分と第１部分の両側に、第１部分より厚さの小さい第２部分とを含むバンクと、第１電極及び第２部分の上に配置された有機発光層とを含む有機発光ダイオード表示装置を提供する。
【発明の効果】
【００３１】
本発明によると、有機発光層の厚さの均一性が低下することによる輝度不均一を防止することができ、有機発光ダイオードの発光効率及び寿命を向上させることができる効果がある。
【図面の簡単な説明】
【００３２】
【図１】従来の有機発光ダイオード表示装置を示す平面図である。
【図２Ａ】図１のIIａ−IIａに沿って切断した断面図である。
【図２Ｂ】図１のIIｂ−IIｂに沿って切断した断面図である。
【図３】本発明の第１実施例に係る有機発光ダイオード表示装置を示す平面図である。
【図４Ａ】図３のIVａ−IVａに沿って切断した断面図である。
【図４Ｂ】図３のIVｂ−IVｂに沿って切断した断面図である。
【図５】本発明の第２実施例に係る有機発光ダイオード表示装置を示す平面図である。
【図６Ａ】図５のVIａ−VIａに沿って切断した断面図である。
【図６Ｂ】図５のVIｂ−VIｂに沿って切断した断面図である。
【図７】本発明の第３実施例に係る有機発光ダイオード表示装置を示す平面図である。
【図８】図７の切断線VIII−VIIIに沿って切断した断面図である。
【図９】本発明の第３実施例に対する比較例であって、列ラインにおいて画素領域毎にバンクが形成された場合を示す平面図である。
【図１０】図９の切断線Ｘ−Ｘに沿って切断した断面図である。
【図１１】本発明の第４実施例に対する比較例であって、列ラインにおいて画素領域毎にバンクが形成された場合を示す平面図である。
【図１２】図１１の切断線XII−XIIに沿って切断した断面図である。
【発明を実施するための形態】
【００３３】
以下、本発明の実施例について、図面を参照して詳細に説明する。
【００３４】
［第１実施例］
図３は、本発明の第１実施例に係る有機発光ダイオード表示装置を示す平面図であり、図４Ａは、図３のIVａ−IVａに沿って切断した断面図であり、図４Ｂは、図３のIVｂ−IVｂに沿って切断した断面図である。
【００３５】
図３に示すように、本発明の第１実施例に係る有機発光ダイオード表示装置は、水平方向に配列された第１〜第３画素領域Ｐ１〜Ｐ３を含む基板１０１と、基板１０１上の第１〜第３画素領域Ｐ１〜Ｐ３にそれぞれ配置された第１電極１２０と、基板１０１上にそれぞれ配置されたゲート配線１１４、データ配線１１５及び駆動電圧配線１１３とを含む。
【００３６】
基板１０１上には、画素領域を３つ以上含むことができる。例えば、第１〜第３画素領域Ｐ１〜Ｐ３の一方の側に第４画素領域（不図示）をさらに配置することができる。
【００３７】
具体的には、ゲート配線１１４は、基板１０１上の第１〜第３画素領域Ｐ１〜Ｐ３の下方に水平方向に配置され、データ配線１１５は、ゲート配線１１４と交差して各画素領域Ｐ１〜Ｐ３の間の境界部Ｂ１、Ｂ２に配置されている。
【００３８】
また、駆動電圧配線１１３は、基板１０１上の第１〜第３画素領域Ｐ１〜Ｐ３の下方に、ゲート配線１１４と離間して平行に配置されている。
【００３９】
また、図４Ａ及び図４Ｂに示すように、平坦化層１１７の上部に配置されたバンク１５０をさらに含む。
【００４０】
バンク１５０は、第１電極１２０の縁部を覆い、第１〜第３画素領域Ｐ１〜Ｐ３を囲んで配置されている。
【００４１】
また、駆動電圧配線１１３及びゲート配線１１４を覆い、基板１０１上に配置されたゲート絶縁膜１１２と、ゲート絶縁膜１１２の上部に配置された平坦化層１１７とをさらに含む。
【００４２】
データ配線１１５は、ゲート絶縁膜１１２と平坦化層１１７との間に配置され、第１電極１２０は、平坦化層１１７の上部に配置されている。
【００４３】
また、駆動電圧配線１１３とゲート配線１１４とは、同じ層に同じ物質で形成することができる。
【００４４】
また、第１電極１２０は、アノード電極として機能するように仕事関数が比較的に高い透明導電性物質からなり、バンク１５０は、疎水性物質からなる。
【００４５】
一方、大面積の有機発光ダイオード表示装置を実現するためには、１本の駆動電圧配線１１３を通じて複数の画素領域Ｐ１〜Ｐ３に駆動電圧を供給しなければならないため、駆動電圧が低下し、表示品質が劣化する。
【００４６】
本発明の第１実施例に係る有機発光ダイオード表示装置は、第１〜第３画素領域Ｐ１〜Ｐ３の下方に、水平方向に駆動電圧配線１１３を配置して、駆動電圧配線１１３の両端から駆動電圧をそれぞれ供給することによって、駆動電圧の低下を防止することができる。
【００４７】
したがって、大面積の有機発光ダイオード表示装置を実現しても駆動電圧の低下を最小化して表示品質の劣化を防止することができる。
【００４８】
また、駆動電圧を駆動電圧配線１１３の両端からそれぞれ供給するため、駆動電圧の低下を最小化すると共に、駆動電圧配線１１３の幅を狭めることができて、駆動電圧配線１１３の配置による開口率の低下を最小化することができる。
【００４９】
一方、第１電極１２０の上部には有機発光層１７０ａ〜１７０ｃが形成されるが、有機発光層１７０ａ〜１７０ｃは、インクジェットプリント方式やノズルプリント方式などを含む溶液工程により形成される。
【００５０】
具体的には、各画素領域Ｐ１〜Ｐ３における第１電極１２０の上部に有機発光物質の溶液（不図示）を滴下した後、その有機発光物質の溶液（不図示）を乾燥させて有機発光層１７０ａ〜１７０ｃを形成する。
【００５１】
そのとき、バンク１５０は疎水性であるため、各画素領域Ｐ１〜Ｐ３に滴下された有機発光物質の溶液（不図示）が互いに混ざり合うことを防止する隔壁として機能する。
【００５２】
また、前述のように、データ配線１１５は、第１〜第３画素領域Ｐ１〜Ｐ３の間の境界部Ｂ１、Ｂ２に配置され、駆動電圧配線１１３は、第１〜第３画素領域Ｐ１〜Ｐ３の下方に配置されるため、第１〜第３画素領域Ｐ１〜Ｐ３の間の境界部Ｂ１、Ｂ２は同幅に形成され、第１〜第３画素領域Ｐ１〜Ｐ３の間の境界部Ｂ１、Ｂ２に配置されるバンク１５０も同幅に形成される。
【００５３】
上記のように、各画素領域Ｐ１〜Ｐ３の間の境界部Ｂ１、Ｂ２が同幅に形成されると、各画素領域Ｐ１〜Ｐ３の短軸方向の周囲に位置した有機発光物質の溶液（不図示）量は同じになる。
【００５４】
したがって、有機発光物質の溶液（不図示）を乾燥させる過程において、各画素領域Ｐ１〜Ｐ３の短軸方向に位置した有機発光物質の溶液（不図示）の溶媒分子の蒸発速度が互いに等しくなる。
【００５５】
また、有機発光物質の溶液（不図示）の乾燥過程が終わると、第１〜第３画素領域Ｐ１〜Ｐ３の短軸方向に形成された有機発光層１７０ａ〜１７０ｃの厚さは、均一になる。
【００５６】
したがって、有機発光ダイオード表示装置における表示品質の劣化を防止し、有機発光ダイオードの発光効率及び寿命低下を防止することができる。
【００５７】
［第２実施例］
図５は、本発明の第２実施例に係る有機発光ダイオード表示装置を示す平面図であり、図６Ａは、図５のVIａ−VIａに沿って切断した断面図であり、図６Ｂは、図５のVIｂ−VIｂに沿って切断した断面図である。
【００５８】
図５に示すように、本発明の第２実施例に係る有機発光ダイオード表示装置は、水平方向に配列された第１〜第３画素領域Ｐ１〜Ｐ３を含む基板２０１と、基板２０１上の第１〜第３画素領域Ｐ１〜Ｐ３にそれぞれ配置された第１電極２２０と、基板２０１上にそれぞれ配置されたゲート配線２１４、データ配線２１５及び駆動電圧配線２１３とを含む。
【００５９】
基板２０１上には、画素領域を３つ以上含むことができる。例えば、第１〜第３画素領域Ｐ１〜Ｐ３の一方の側に第４画素領域（不図示）をさらに配置することができる。
【００６０】
また、基板２０１上の画素領域Ｐの間の境界部Ｂ１、Ｂ２に、第１電極２２０と離間して配置された補助電極２２１をさらに含む。
【００６１】
具体的には、ゲート配線２１４は、基板２０１上の第１〜第３画素領域Ｐ１〜Ｐ３の下方に水平方向に配置され、データ配線２１５は、ゲート配線２１４と交差して各画素領域Ｐ１〜Ｐ３の間の境界部Ｂ１、Ｂ２に配置されている。
【００６２】
また、駆動電圧配線２１３は、基板２０１上の第１〜第３画素領域Ｐ１〜Ｐ３の下方に、ゲート配線２１４と離間して平行に配置され、コンタクトホールＣＨを介して補助電極２２１と電気的に接続されている。
【００６３】
また、図６Ａ及び図６Ｂに示すように、平坦化層２１７の上部に配置されたバンク２５０をさらに含む。
【００６４】
バンク２５０は、第１電極２２０の縁部を覆い、第１〜第３画素領域Ｐ１〜Ｐ３を囲んで配置されている。
【００６５】
また、駆動電圧配線２１３及びゲート配線２１４を覆い、基板２０１上に配置されたゲート絶縁膜２１２と、ゲート絶縁膜２１２の上部に配置された平坦化層２１７とをさらに含む。
【００６６】
データ配線２１５は、ゲート絶縁膜２１２と平坦化層２１７との間に配置され、第１電極２２０及び補助電極２２１は、平坦化層２１７の上部に配置されている。
【００６７】
また、ゲート絶縁膜２１２及び平坦化層２１７は、駆動電圧配線２１３の一部を露出するコンタクトホールＣＨを備え、補助電極２２１は、コンタクトホールＣＨを介して駆動電圧配線２１３と接続されている。
【００６８】
一方、図面には示していないが、補助電極２２１は、駆動薄膜トランジスタ（不図示）に接続されている。
【００６９】
また、駆動電圧配線２１３とゲート配線２１４とは、同じ層に同じ物質で形成することができ、第１電極２２０及び補助電極２２１は、同じ層に同じ物質で形成することができる。
【００７０】
また、第１電極２２０は、アノード電極として機能するように仕事関数が比較的に高い透明導電性物質からなり、バンク２５０は、疎水性物質からなる。
【００７１】
一方、大面積の有機発光ダイオード表示装置を実現するためには、１本の駆動電圧配線２１３を通じて複数の画素領域Ｐ１〜Ｐ３に駆動電圧を供給しなければならないため、駆動電圧が低下し、表示品質が劣化する。
【００７２】
本発明の第２実施例に係る有機発光ダイオード表示装置は、第１〜第３画素領域Ｐ１〜Ｐ３の下方に、水平方向に駆動電圧配線２１３を配置して、駆動電圧配線２１３の両端から駆動電圧をそれぞれ供給することによって、駆動電圧の低下を防止することができる。
【００７３】
したがって、大面積の有機発光ダイオード表示装置を実現しても駆動電圧の低下を最小化して表示品質の劣化を防止することができる。
【００７４】
また、駆動電圧を駆動電圧配線２１３との両端からそれぞれ供給するため、駆動電圧の低下を最小化すると共に、駆動電圧配線２１３の幅を狭めることができ、駆動電圧配線２１３の配置による開口率の低下を最小化することができる。
【００７５】
さらに、前述したように、駆動電圧配線２１３がコンタクトホールＣＨを介して補助電極２２１と電気的に接続されることによって、駆動電圧配線２１３の面抵抗が減少する。減少した面抵抗だけ駆動電圧配線２１３の幅をさらに小さくすることができ、開口率の低下を一層最小化することができる。
【００７６】
一方、第１電極２２０の上部には有機発光層２７０ａ〜２７０ｃが形成されるが、有機発光層２７０ａ〜２７０ｃは、インクジェットプリント方式やノズルプリント方式などを含む溶液工程により形成される。
【００７７】
具体的には、各画素領域Ｐ１〜Ｐ３における第１電極２２０の上部に有機発光物質の溶液（不図示）を滴下した後、その有機発光物質の溶液（不図示）を乾燥させて有機発光層２７０ａ〜２７０ｃを形成する。
【００７８】
そのとき、バンク２５０は疎水性であるため、各画素領域Ｐ１〜Ｐ３に滴下された有機発光物質の溶液（不図示）が互いに混ざり合うことを防止する隔壁として機能する。
【００７９】
また、前述のように、データ配線２１５は、第１〜第３画素領域Ｐ１〜Ｐ３の間の境界部Ｂ１、Ｂ２に配置され、駆動電圧配線２１３は、第１〜第３画素領域Ｐ１〜Ｐ３の下方に配置されるため、第１〜第３画素領域Ｐ１〜Ｐ３の間の境界部Ｂ１、Ｂ２は同幅に形成され、第１〜第３画素領域Ｐ１〜Ｐ３の間の境界部Ｂ１、Ｂ２に配置されるバンク２５０も同幅に形成される。
【００８０】
上記のように、各画素領域Ｐ１〜Ｐ３の間の境界部Ｂ１、Ｂ２が同幅に形成されると、各画素領域Ｐ１〜Ｐ３の短軸方向の周囲に位置した有機発光物質の溶液（不図示）量は同じになる。
【００８１】
したがって、有機発光物質の溶液（不図示）を乾燥させる過程において、各画素領域Ｐ１〜Ｐ３の短軸方向に位置した有機発光物質の溶液（不図示）の溶媒分子の蒸発速度が互いに等しくなる。
【００８２】
また、有機発光物質の溶液（不図示）の乾燥過程が終わると、第１〜第３画素領域Ｐ１〜Ｐ３の短軸方向に形成された有機発光層２７０ａ〜２７０ｃの厚さは、均一になる。
【００８３】
したがって、有機発光ダイオード表示装置における表示品質の劣化を防止し、有機発光ダイオードの発光効率及び寿命低下を防止することができる。
【００８４】
［第３実施例］
図７は、本発明の第３実施例に係る有機発光ダイオード表示装置を示す平面図であり、図８は、図７の切断線VIII−VIIIに沿って切断した断面図である。
【００８５】
第３実施例に係る有機発光ダイオード表示装置は、第１実施例または第２実施例に係る有機発光ダイオード表示装置と同一・類似の構成を有するが、各列ラインに配置された同じ色を発光する画素領域の構造において、第１実施例または第２実施例と異なる。
【００８６】
以下、第１実施例または第２実施例と同一・類似の構成については具体的な説明を省略する。また、説明の都合上、図７及び図８では、ゲート配線、データ配線及び駆動電圧配線を省略する。
【００８７】
図７及び図８を参照すると、本実施例に係る有機発光ダイオード表示装置において、各列ラインには同じ色を発光する画素領域Ｐ１〜Ｐ３が配置されている。例えば、第１列ラインに配置された第１画素領域Ｐ１は赤色（ｒｅｄ）に発光し、第２列ラインに配置された第２画素領域Ｐ２は緑色（ｇｒｅｅｎ）に発光し、第３列ラインに配置された第３画素領域Ｐ３は青色（ｂｌｕｅ）に発光する。また、このような第１〜第３画素領域Ｐ１〜Ｐ３は、各行ラインにおいて交互に配置されている。
【００８８】
さらに、各行ラインにおいて隣接する画素領域Ｐ１〜Ｐ３の間には、バンク３５０が形成されている。
【００８９】
本実施例は、各列ラインに配置された同じ色の画素領域に対して少なくとも２つの隣接画素領域（すなわち、少なくとも２つの隣接行ラインに位置する画素領域）を単位グループＰＧにした場合、単位グループＰＧ内における隣接画素領域の間の境界にはバンク３５０が形成されず、隣接する単位グループＰＧ間の境界にバンク３５０が形成されることを特徴とする。
【００９０】
例えば、赤色に発光する第１画素領域Ｐ１において、２つの隣接する第１画素領域Ｐ１は単位グループＰＧを構成するが、単位グループＰＧ内の画素領域の間にはバンク３５０が形成されず、単位グループＰＧの間、すなわち、第１単位グループＰＧ１とこれに隣接する第２単位グループＰＧ２の間にバンク３５０が形成されている。すなわち、第１単位グループＰＧ１の最も外側の第１画素領域Ｐ１と、これに最も隣接する第２単位グループＰＧ２の最も外側の第１画素領域Ｐ１との間にバンク３５０が形成されている。言い換えると、各列ラインには、少なくとも２つの画素領域毎にバンク３５０が形成されている。
【００９１】
このように、列ラインにおいて複数の画素領域を単位グループＰＧにしてバンク３５０が形成されるように構成することによって、バンク３５０は各単位グループＰＧを囲むように形成され、赤色・緑色・青色に発光する第１・第２・第３有機発光層３７０ａ、３７０ｂ、３７０ｃは、各単位グループＰＧに対応して形成される。
【００９２】
例えば、赤色の単位グループＰＧは列ライン方向の両側（すなわち、上側及び下側）に位置するバンク３５０部分、及び行ライン方向の両側（すなわち、左側及び右側）に位置するバンク３５０部分によって囲まれ、赤色の第１有機発光層３７０ａは、単位グループＰＧを囲むバンク３５０内に形成される。
【００９３】
このように、列ラインにおいて複数の画素領域を単位グループＰＧにしてバンク３５０が形成されるように構成することによって、列ラインにおけるバンク部分（すなわち、バンクパターン）の数を減少させることができ、有機発光層が形成される領域は単位グループＰＧであって、その面積が増加する。
【００９４】
これによって、有機発光層の厚さの均一性が向上し、有機発光層の形成工程の効率性が向上できる。
【００９５】
これに関し、各列ラインにおいて、画素領域毎にバンクが形成された場合と比較して説明する。
【００９６】
図９は、本発明の第３実施例に対する比較例であって、列ラインにおいて画素領域毎にバンクが形成された場合を示す平面図であり、図１０は、図９の切断線Ｘ−Ｘに沿って切断した断面図である。
【００９７】
図９及び図１０を参照すると、比較例では、各列ラインにおいて各画素領域Ｐ１〜Ｐ３の間にバンク４５０が形成されているので、各画素領域に対応して有機発光層４７０ａ〜４７０ｃが形成されている。
【００９８】
この場合、本実施例に比べて列ラインにおけるバンク４５０部分（すなわち、バンクパターン）の数が多く、有機発光層４７０ａ〜４７０Ｃが形成される領域は画素領域Ｐ１〜Ｐ３であって、その面積が小さい。
【００９９】
したがって、画素領域毎に有機発光層４７０ａ〜４７０ｃにおける厚さのプロファイルが生成される。すなわち、バンク４５０周辺の有機発光層４７０ａ〜４７０ｃの厚さが、画素領域Ｐ１〜Ｐ３の内部に比べて厚いという厚さのプロファイルが画素領域毎に生成される。
【０１００】
一方、本実施例の場合は、複数の画素領域からなる単位グループＰＧ毎に厚さのプロファイルが生成される。したがって、比較例に比べ、有機発光層３７０ａ〜３７０ｃの厚さの均一性が大幅に向上できる。
【０１０１】
また、インクジェットヘッド５００のノズル５１０を介して有機発光物質の溶液を噴射する場合、比較例では画素領域毎に噴射を行うため、画素領域Ｐ１〜Ｐ３に対応して位置するノズル５１０が使用され、画素領域の間に位置するノズル５１０は使用されないのでノズル５１０の使用率が低下する。また、使用されるノズル５１０の数が限定されているため、必要な分の溶液が噴射されずムラ欠陥が発生することがある。
【０１０２】
一方、本実施例の場合は、単位グループＰＧ毎に溶液噴射を行うので、比較例に比べて使用されるノズル５１０の数が増加し、使用されないノズル５１０ａの数が減少してノズルの使用率が向上し、必要な分だけ噴射をすることが可能になる。その結果、ムラ欠陥を改善することができる。
【０１０３】
さらに、本実施例では、単位グループＰＧ内の隣接画素領域の第１電極３２０間の絶縁性を確保するため、例えば酸化シリコンや窒化シリコンといった無機絶縁物質からなる絶縁パターン３４０を形成することができる。この絶縁パターン３４０は、隣接する第１電極３２０間において、これら第１電極３２０の縁部を覆うように形成することができる。また、絶縁パターン３４０は、列ラインにおいて隣接する第１電極３２０間だけでなく、行ラインにおいて隣接する第１電極３２０間に形成することもできる。
【０１０４】
また、前述した第１実施例及び第２実施例は、単位グループＰＧ毎にバンク３５０が形成されている本実施例の有機発光ダイオード表示装置に適用することができる。例えば、駆動電圧配線を行ラインに沿ってゲート配線と平行に形成することができ、それによって、有機発光層の厚さの均一性を極大化することができる。
【０１０５】
さらに、本実施例に係る有機発光ダイオード表示装置に対し、駆動電圧配線を列ライン方向に沿って平行に形成する従来の構造を適用することもできる。この場合、単位グループＰＧ毎にバンク３５０が形成されるので、従来に比べて有機発光層の厚さの均一性を向上させることができる。
【０１０６】
［第４実施例］
図１１は、本発明の第４実施例に係る有機発光ダイオード表示装置を示す平面図であり、図１２は、図１１の切断線XII−XIIに沿って切断した断面図である。
【０１０７】
第４実施例に係る有機発光ダイオード表示装置は、第１〜第３実施例に係る有機発光ダイオード表示装置と同一・類似の構成を有するが、各列ラインに配置された同じ色を発光する画素領域の構造において第１〜第３実施例と異なる。
【０１０８】
以下、第１〜第３実施例と同一・類似の構成については具体的な説明を省略する。また、説明の都合上、図１１及び図１２では、ゲート配線、データ配線及び駆動電圧配線を省略する。
【０１０９】
図１１及び図１２を参照すると、本実施例に係る有機発光ダイオード表示装置では、各列ラインに同じ色を発光する画素領域Ｐ１〜Ｐ３が配置されている。例えば、第１列ラインに配置された第１画素領域Ｐ１は赤色に発光し、第２列ラインに配置された第２画素領域Ｐ２は緑色に発光し、第３列ラインに配置された第３画素領域Ｐ３は青色に発光する。また、このような第１〜第３画素領域Ｐ１〜Ｐ３は、各行ラインにおいて交互に配置されている。
【０１１０】
また、各行ラインにおいて隣接する画素領域Ｐ１〜Ｐ３間には、バンク５５０が形成されている。
【０１１１】
そのとき、本実施例によると、各列ラインに配置された同じ色の隣接画素領域間の境界に形成されたバンク５５０は、段差を有するように形成されていることを特徴とする。
【０１１２】
これについて、第１画素領域Ｐ１を例に挙げて説明すると、２つの隣接する第１画素領域Ｐ１間に形成されたバンク５５０は、中央である第１部分５５１と、第１部分５５１の両側に位置する部分（すなわち、該当列ラインにおいて隣接する第１画素領域Ｐ方向に位置する部分）であって、第１バンク５５０より厚さの小さい第２部分５５２とからなる。このようにバンク５５０は、上部へ突出した形の第１部分５５１と、それより厚さの小さい第２部分５５２によって、両側の第１画素領域Ｐ１方向に段差を有することができる。
【０１１３】
このようにバンク５５０を段差構造に形成すると、第１画素領域Ｐ１の第１有機発光層５７０ａは、それに隣接した両側の第２部分５５２の上部に伸び、第１画素領域Ｐ１における有機発光層５７０ａの形成面積が列ライン方向に拡大するという効果を奏する。
【０１１４】
したがって、段差構造を持たないバンクを用いる場合に比べて、有機発光層を形成する単位面積が増加し、厚さの均一性を向上させることができる。
【０１１５】
一方、前述した第１実施例及び第２実施例を、段差構造のバンク５５０を形成する本実施例に係る有機発光ダイオード表示装置に適用することができる。例えば、駆動電圧配線を行ライン方向に沿ってゲート配線と平行に形成することができる。それによって、有機発光層の厚さの均一性を極大化することができる。
【０１１６】
さらに、本実施例に係る有機発光ダイオード表示装置に対し、駆動電圧配線を列ライン方向に沿って平行に形成する従来の構造を適用することもできる。この場合、段差構造のバンク５５０が形成されるので、従来に比べて有機発光層の厚さの均一性を向上させることができる。
【０１１７】
以上、本発明は前述した実施例に限定されず、本発明の精神から外れない範囲内で様々な変化と変更をすることが可能である。
【符号の説明】
【０１１８】
１０１…基板、１１３…駆動電圧配線、１１４…ゲート配線、１１５…データ配線、１２０…第１電極、１５０…バンク、１７０ａ〜１７０ｃ…有機発光層
【図１】
0006599306.tif 000002
【図２Ａ】
0006599306.tif 000003
【図２Ｂ】
0006599306.tif 000004
【図３】
0006599306.tif 000005
【図４Ａ】
0006599306.tif 000006
【図４Ｂ】
0006599306.tif 000007
【図５】
0006599306.tif 000008
【図６Ａ】
0006599306.tif 000009
【図６Ｂ】
0006599306.tif 000010
【図７】
0006599306.tif 000011
【図８】
0006599306.tif 000012
【図９】
0006599306.tif 000013
【図１０】
0006599306.tif 000014
【図１１】
0006599306.tif 000015
【図１２】
0006599306.tif 000016